(57)【要約】【課題】内圧を迅速・確実に放出させる小形で安価に簡易に製造可能とした放圧装置を具備した地上設置形変圧器装置を提供することを目的とする。【解決手段】  筐体を２室に区画して一方の区画室に変圧器装置を収容設置し、前記変圧器装置の１次側は隔壁を介して他方の区画室に収容設置した高圧機器と接続し、変圧器装置の２次側を低圧分岐装置と接続して構成した地上設置形変圧器装置において、前記高圧機器を設置した区画室の背部に放圧扉を開閉自在に取り付け、この放圧扉の内側面には、基端を区画室の縦梁に止着して先端を放圧扉内側面の自由端側に設けた係止ピンに遊嵌したばね部材と、基端を放圧扉の自由端側に位置する区画室の縦梁に枢着して先端部を放圧扉に放圧扉の開放角度だけ移動できるように取り付けたストッパー部材とからなる放圧装置を具備して構成したことを特徴とする。【選択図】図１
2006129628.tif 000002
【特許請求の範囲】
【請求項１】
筐体を２室に区画して一方の区画室に変圧器装置を収容設置し、前記変圧器装置の１次側は隔壁を介して筐体の他方の区画室に収容設置した高圧カットアウトスイッチ等からなる高圧機器と接続し、変圧器装置の２次側は需要家側と接続する低圧分岐装置と接続して構成した地上設置形変圧器装置において、前記高圧機器を設置した筐体の区画室背部に放圧扉を開閉自在に取り付け、この放圧扉の区画室内に位置する内側面には、基端を区画室の縦梁に止着して先端を放圧扉の内側面の自由端側に設けた係止ピンに取り外し不能に遊嵌したばね部材と、基端を放圧扉の自由端側に位置する区画室の縦梁に枢着して先端部を放圧扉に該放圧扉の開放角度だけ移動できるように取り付けて形成したストッパー部材とからなる放圧装置を具備して構成したことを特徴とする地上設置形変圧器装置。
【請求項２】
前記放圧扉の自由端側に設けた係止ピンに取り外し不能に遊嵌したばね部材の先端には、水平方向に所定長さの長孔を一条以上穿設して、この長孔に放圧扉に止着した係止ピンを取り外し不能に遊嵌して構成したことを特徴とする請求項１記載の地上設置形変圧器装置。
【請求項３】
前記ストッパー部材は、基部を放圧扉の縦梁に枢着したレバー体と、このレバー体の先端を係合して該レバー体を、その基部を中心として放圧扉の開閉に追随して回動させる長孔を穿設した係止板とによって構成したことを特徴とする請求項１記載の地上設置形変圧器装置。
【発明の詳細な説明】
【技術分野】
【０００１】
本発明は、市街地等の歩道上に設置して使用される地上設置形変圧器装置の改良に関する。
【背景技術】
【０００２】
都市における商業地域や人通りの多い市街地等においては、従前から都市の美観維持や、災害時等における電柱の倒壊に伴う停電事故等を防ぐために、今日架空配電方式に代えて地中配電方式が広く採用されるようになってきた。そして、前記地中配電方式に使用する電気機器としては、一般に変圧器装置と高圧機器(１次開閉器)と低圧分岐装置とを３室に区画して形成した筐体に、変圧器装置等各種機器を所定の区画室に個別に収容して構成した地上設置形変圧器装置が歩道上に設置されている。
【０００３】
然るに、前記地上設置形変圧器装置は、一般に人通りの多い歩道上の車道側に近い位置に設置されており、設置スペースの関係から極度に小型化され、しかも、塵埃や湿気等の侵入をはじめ、悪戯等によって外部から針金等の金属部材を突っ込んだりして充電部に接触したりするのを防ぐために、換気口を残して強固な金属性の筐体によってほぼ密閉された状態で形成されている。
【０００４】
この結果、前記筐体に収容した高圧機器側において、万一短絡事故等が発生して前記高圧機器を収容した筐体の区画室内の内圧が急上昇した場合、この内圧を速やかに放出しないと筐体自身が内圧により損壊したり、筐体の接合部が剥離するという問題があった。
【０００５】
このため、従来から例えば、実公平３−５７０４５号公報に開示されているように、地上設置形変圧器装置においては、筐体内の異常圧力を放出して筐体の破損を未然に防止するための放圧装置が付設されている。
【０００６】
前記実公平３−５７０４５号公報に開示されている放圧装置は、概略次のように構成されている。即ち、実公平３−５７０４５号公報の第６，７図において、放圧蓋２８の裏面には、支持梁２９の上方側において左右一対の支持枠３１を縦向に溶着し、この支持枠３１の上部には、掛止ピン３２を挟持する挟持板３３に螺着した調整ボルト３４が螺合され、下部には下方端に縦長の抜止孔ｃを備えたＺ型のストッパー３５が止着されている。そして、前記挟持板３３に挟持した掛止ピン３２には第７図に示すように、複数本の引張ばね３６の一方端が掛止されており、この引張ばね３６の他方端は、前記支持梁２９に上端両側を収納室ａ内に向けて取り付けたＬ形の支持板３７間に横架した支持ピン３８に掛止されて放圧装置が構成されている。
【０００７】
そして、一次開閉器２３の収納室ａで内部短絡事故が生ずると、内圧は収納室ａの周壁全体を押圧することになる。この場合、前記内圧が引張ばね３６のばね圧より小さい時は放圧蓋２８がほとんど開くことがない。しかし、内圧が引張ばね３６の設定圧以上に達すると放圧装置は作動する。即ち、放圧蓋２８を押す力によって引張ばね３６が第６図のように、外箱２１の外側にほぼ直線上に引伸ばされ、放圧蓋２８を２点鎖線で示すように、第６図の右側に押し出す。これにより、放圧蓋２８の上方端を壁体ａ１に凹設した支持梁２９上端との間で放圧口ａ２が開放され、この隙間から内圧を放出する。前記放圧蓋２８が開放したとき、放圧蓋２８の内側面に取り付けたストッパー３５は放圧蓋２８の開放に伴いストッパーピン４１に案内されて後退し、第６図に２点鎖線で示すように、抜止孔ｃに係止された状態で係止板４０に当設して受止められると、放圧蓋２８はその地点で以後の開放が停止される。
【０００８】
内圧が放出されると、放圧蓋２８は引張ばね３６の引張力によって外箱２１の内側に引戻されて放圧口ａ２を気密に閉鎖する。
【０００９】
【特許文献１】実公平３−５７０４５号公報
【発明の開示】
【発明が解決しようとする課題】
【００１０】
然るに、前記した放圧装置においては、次に示すような問題点があった。即ち、第１に放圧装置は第６,７図のように、放圧蓋の内側が外箱内の前部方向（幅方向）に向って構成されているので、１次開閉器の収容室はその幅方向（奥行方向）の寸法が必然的に大きく必要となるため、外箱は放圧装置を組込むためのスペースを考慮して設計を行った場合、放圧装置を設置するために広いスペースが必要になるという問題があった。
【００１１】
また、第２に放圧装置は複数本の引張ばねをはじめ、これら引張ばねの一方を掛止する掛止ピン、引張ばねの他方を掛止する支持ピンを備えた支持梁、引張ばねのばね圧を調整する調節部材、放圧蓋の開放範囲を設定するストッパー等多くの部材を必要としていたので、放圧装置の部品点数が必然的に増加し、放圧装置の製造コストを高くするという問題もあった。
【００１２】
更に、第３に前記放圧装置は多数の部品によって構成されている関係上、放圧蓋内側の狭隘なスペースを利用して取り付けるようにしていたので、特に、複数本の引張ばねの掛止作業は設置場所が狭隘なため、放圧装置の組立作業は多大な労力と熟練・時間を要していたので、地上設置形変圧器装置の生産性の向上を阻害する大きな要因となっていた。
【００１３】
本発明は、前記の種々な問題点に鑑み、筐体内の狭隘なスペースを有効利用して放圧装置を簡易に、かつ、筐体を大形化することなく小形で安価に設置可能とした、改良された地上設置形変圧器装置を提供することにある。
【課題を解決するための手段】
【００１４】
請求項１記載の発明は、筐体を２室に区画して一方の区画室に変圧器装置を収容設置し、前記変圧器装置の1次側は隔壁を介して筐体の他方の区画室に収容設置した高圧カットアウトスイッチ等からなる高圧機器と接続し、変圧器装置の２次側は需要家側と接続する低圧分岐装置と接続して構成した地上設置形変圧器装置において、前記高圧機器を設置した筐体の区画室背部に放圧扉を開閉自在に取り付け、この放圧扉の区画室内に位置する内側面には、基端を区画室の縦梁に試着して先端を放圧扉の内側面の自由端に設けた係止ピンに取り外し不能に遊嵌したばね部材と基端を放圧扉の自由端側に位置する区画室の縦梁に枢着して先端を放圧扉に該放圧扉の開放角度だけ移動できるように取り付けて形成したストッパーとからなる放圧装置を具備して構成したことを特徴とする。
【００１５】
請求項２記載の発明は、請求項１記載の地上設置形変圧器装置において、前記放圧扉の自由端側に設けた係止ピンに取り外し不能に遊嵌したばね部材の先端には、水平方向に所定長さの長孔を一条以上穿設して、この長孔に放圧扉に止着した係止ピンを取り外し不能に遊嵌して構成したことを特徴とする。
【００１６】
請求項３記載の発明は、請求項１記載の地上設置形変圧器装置において、前記ストッパーは、基部を放圧扉の縦梁に枢着したレバー体と、このレバー体の先端を係合して該レバー体を、その基部を中心として放圧扉の開閉に追随して回動させる長孔を穿設した係止板とによって構成したことを特徴とする。
【発明の効果】
【００１７】
請求項１記載の発明は、一方端を筐体側に止着し、先端の自由端側を放圧扉側に穿設した係止ピンに遊嵌した板ばね状のばね部材と、放圧扉の開閉動作に連動して前記ばね部材の撓み度合および放圧扉の開口度を事前に設定するストッパー部材とによって放圧装置を構成するようにしたので、放圧装置の設置スペースは、板ばね状のばね部材の使用と、このばね部材の撓み度合いを設定するストッパー部材との組み合せにより、筐体の奥行寸法が従来の引張ばねを用いた放圧装置に比べて大幅に低減することが可能となるため、変圧器装置や高圧機器を収納する筐体の幅寸法が大幅に軽減させることが可能となり、これにより、地上設置形変圧器装置を容易に小型化することができ、歩道上の狭隘な設置スペースを利用して効果的に設置することができるという優れた効果を有するものである。
【００１８】
請求項２記載の発明は、板ばね状のばね部材の先端に長孔を穿設して、この長孔に放圧扉側に突設した係止ピンを遊嵌してばね部材の自由端を、放圧扉に係止するようにして取り付けられているので、放圧扉はその開放時、ばね部材の長孔を利用してスムーズにばね部材のばね圧力に抗して開放できるため、放圧扉は所定の内圧が発生した場合、円滑に開放することができるとともに、ばね部材の放圧扉への取り付けにも長孔を利用することにより迅速・確実に係止することができるので、利便である。
【００１９】
請求項３記載の発明は、レバー体の一方端を筐体側に枢着し、先端の自由端は放圧扉側に取り付けた係止板の長孔に遊嵌して取り付けることにより、ストッパー部材を構成するようにしたので、このストッパー部材は係止板側に設けた長孔を利用してレバー体が、ばね部材の作動と連動して前記長孔の範囲内で揺動して放圧扉の開口度と、ばね部材の撓み力（ばね圧力）を規制することができるように構成したので、筐体内に内圧が発生して放圧扉が開き放圧口が開放されるのを、放圧扉を内圧の放出に適した開口度で開放支持することができるとともに、内圧の放出が解除されると、ばね部材はその復元力が最適に作用するように保持されているので、放圧扉は内圧の低減により直ちに閉じて放圧口を閉鎖することにより、塵埃が筐体内に侵入するのを迅速・確実に阻止することができ、至便である。
【発明を実施するための最良の形態】
【００２０】
以下、本発明の実施例を図１ないし図７により説明する。図１ないし図４において、１は本発明の放圧装置Ａを内蔵した地上設置形変圧器装置を示し、２はその筐体である。前記筐体２は図１,３に示すように、矩形状に形成されており、内部は隔璧３によって長さ方向において２室に区画されている。
【００２１】
そして、前記筐体２の一方の区画室（図１の右側）２ａは、他方の区画室２ｂのほぼ２倍の収容面積を備えて変圧器装置４が収容設置されている。前記変圧器装置４の正面（図１の区画室２ａ側）には、前記変圧器装置４の２次側の充電部と電気的に接続された低圧分岐装置５が併設されている。６は低圧分岐装置５に接続した低圧側ケーブルで、需要家側とは図示しない低圧側の配電線を介して接続される。
【００２２】
また、前記筐体２の他方の区画室２ｂには、高圧機器７が収容設置されており、前記高圧機器７は、一般に断路器７ａと高圧カットアウト７ｂとによって構成されている。前記高圧カットアウト７ｂは、変圧器装置４の高圧側と接続されており、また、断路器７ａは、高圧側ケーブル８を介して図示しない高圧側の配電線に接続されている。
【００２３】
なお、図３において、９は筐体２の変圧器装置４を収容した区画室２ａの歩道側に位置する正面側（図３の上部方向）に開閉自在に取り付けられて、変圧器装置４等を点検する場合に使用する第１の点検扉を示し、１０は筐体２の高圧機器７を収容した区画室２ｂの歩道側に位置する正面側（図３の上部右側方向）において開閉自在に取り付けた高圧機器７点検用の第２の点検扉である。更に、図４において、１１は高圧機器７を収容した筐体２の区画室２ｂの車道側において開口する放圧口１１ａに開閉自在に取り付けた放圧扉で、放圧装置Ａと連動するように構成されている。
【００２４】
つづいて、放圧装置Ａの構成について説明する。図５ないし７において、放圧装置Ａはばね部材１５とストッパー部材２１とにより構成されて、図６に示すように、放圧扉１１の区画室２ｂ内に位置する内側の上・下部に一対付設されている。そして、前記ばね部材１５は、図６に示すように、平板状の横長な板ばねからなり、その取り付けは基端を筐体２の区画室２ｂの第１の縦梁２ｂ１にボルト等を用いて止着し、放圧扉１１の自由端側に延出する前記板ばねの先端の自由端側は、板ばねの長さ方向に沿って２条の長孔１６を穿孔し、この長孔１６にそれぞれ放圧扉１１に植設した係止ピン１７を抜脱不能に遊嵌することによって、放圧扉１１に取り付けられる。前記板ばねからなるばね部材１５は、その取り付けに際して、常にばね圧力が放圧扉１１を放圧口１１ａを閉鎖する方向に付勢力が作用するように取り付けられていることは云うまでもない。
【００２５】
次に、ストッパー部材２１について説明する。このストッパー部材２１は図６,７に示すように、ばね部材１５の近傍に設置されており、その構成は区画室２ｂの第２の縦梁２ｂ２に止着した支持板２２と、この支持板２２に基端を回動自在に枢着したレバー体２３と、このレバー体２３先端の自由端側と対向する放圧扉１１の内側面に止着した係止板２４と、前記係止板２４にその長さ方向に沿って穿孔した横孔２５とからなり、この横孔２５に前記レバー体２３の自由端に付設した係合ピン２６を抜脱不能に遊嵌することにより、レバー体２３は放圧扉１１が一定角度以上開放してばね部材１５の復元力(ばね圧力)が喪失しないよう支持している。なお、図１に示す２７は接地線、図４に示す２８は変圧器装置４を収容した区画室２ａの換気口である。
【００２６】
放圧装置Ａの動作について説明する。この放圧装置Ａは、筐体２の高圧機器７を収容した区画室２ｂ内の圧力(内圧)が、配電線の高圧側において短絡事故等により上昇してばね部材１５のばね圧力より高くなった場合に作動するもので、前記ばね部材１５のばね圧力は、筐体２の損壊をきたす前に放圧扉１１を開いて、区画室２ｂ内の異常上昇した内圧を放圧口１１ａから放出することができる程度に設定されている。
【００２７】
そして、今、高圧機器７を収容した区画室２ｂ内で内部短絡事故等により、区画室２ｂ内の空気が膨張して区画室２ｂ内の内圧が異常上昇すると、区画室２ｂ周囲の壁体を押圧することになる。前記内圧が放圧装置Ａを構成するばね部材１５のばね圧力より小さい場合、放圧扉１１はばね部材１５のばね圧力によって開放されるということはない。
【００２８】
しかし、区画室２ｂ内の内圧がばね部材１５のばね圧力より勝ると、図７に示すように、放圧扉１１は区画室２ｂに枢支され蝶番等の回動部材２９を中心として、ばね部材１５のばね圧力に抗して筐体２の外方に開放され、開口された区画室２ｂの放圧口１１ａから内圧を外部に放出する。内圧の放出に際してばね部材１５は、その先端に穿孔した長孔１６に遊嵌されている係止ピン１７が、放圧扉１１の開放に伴い長孔１６内を移動するに従い徐々に湾曲して、長孔１６の端部に到達すると、前記ばね部材１５は自体のばね圧力に抗してその基端の止着部を支点として、放圧扉１５の開放により弓状に曲成される。
【００２９】
一方、放圧扉１１の開放に伴いストッパー部材２１も作動する。即ち、放圧扉１１が開放されはじめると、ストッパー部材２１のレバー体２３は、図７においてその基端が枢支されている支持板２２の枢止点を中心として時計方向に回動すると同時に、レバー体２３の先端が、放圧扉１１の係止板２４に穿孔した横孔２５内を係止ピン２６を介して図７の右方向に移動することにより、放圧扉１１の開放に追随して作動する。そして、レバー体２３先端の係止ピン２６が横孔２５の端部（図７に示す横孔２５の右端）に到達することにより、放圧扉１１のそれ以上の開放を防ぎ開口度を一定に保持して、区画室２ｂの内圧を放出する。
【００３０】
前記放圧扉１１の開放により、区画室２ｂ内の内圧を放出するとともに、放圧扉１１はストッパー部材２１により一定の開口度で開放維持されて、内圧の放出を良好に行うことができるとともに、ばね部材１５のばね圧力がその死点を越えて作動することがないように前記ストッパー部材２１は、放圧扉１１の開口角度を一定に維持してばね部材１５が常時原位置に復帰できるように保持している。
【００３１】
区画室有２ｂ内の内圧が放出されると、放圧扉１１は内圧による押圧力によって放圧扉１１を開くための圧力が解除される結果、即ち、ばね部材１５のばね圧力が内圧の解消に伴い放圧扉１１を押圧する力が解消されることにより、放圧扉１１はばね部材１５の復元力を有効に利用して放圧口１１ａを閉鎖する方向に自動復帰する。放圧扉１１が原位置に戻る（放圧口１１ａを閉鎖する）ことにより、ストッパー部材２１のレバー体２３もその先端が放圧扉１１側に設けた係止板２４の横孔２５内を図７の左方向に移動して放圧扉１１の原位置への復帰と共動し、放圧扉１１を内圧放出後早期に原位置に復帰させて放圧口１１ａを閉鎖させることができる。
【００３２】
放圧装置Ａは図４，６で示すように、筐体２の区画室２ｂ内の車道側（第２の点検扉１０の反対側）に位置する狭隘なスペースを有効利用して、筐体２の長手方向に沿って横長に形成された状態で取り付けられているので、前記区画室２ｂ内の内圧を放出するに際し、放圧扉１１はドアを開放するが如く円滑に、かつ、開口度を大きくして（図４に示すように、３方向から内圧を放出することができる）内圧を迅速・容易に放出することができる。
【００３３】
しかも、内圧放出後における放圧扉１１の閉鎖に際しても、ばね部材１５の復元力（ばね圧力）を利用して自動閉鎖することができるとともに、ばね部材１５として板ばねを使用しているため、ばね部材１５の設置に当たり区画室２ｂの幅方向（図３の上下方向）に大きな取付寸法を要することなく、放圧扉１１の縦方向と交わる横方向（筐体２の長さ方向）に沿って取り付けることができるので、高圧機器７の収容スペースを合理的に、しかも、小容積にて設計することができ、この種地上設置形変圧器装置を容易に小型化して製造することができるという利点を備えている。
【００３４】
また、ばね部材１５と共動して作動するように構成したストッパー部材２１については、放圧扉１１の開口度を設定するレバー体２３を備え、このレバー体２３の一方を区画室２ｂ側に枢着し、自由端となる先端は放圧扉１１側に設けた係止板２４の横孔２５に遊嵌されて、放圧扉１１と連動することにより放圧扉１１の開口度を一定角度に維持するとともに、ばね部材１５のばね圧力が死点を超えないように維持すべく構成されており、しかも、放圧扉１１を閉鎖した場合は、ばね部材１５と同様に放圧扉１１の内側面の横方向に沿って併設することにより、放圧扉１１内側面の狭隘なスペースを利用して取り付けることができる結果、放圧装置Ａを簡素な構成でコンパクトに形成することが可能となる。
【図面の簡単な説明】
【００３５】
【図１】本発明の地上設置形変圧器装置の内部を示す正面図である。
【図２】本発明の地上設置形変圧器装置の内部を示す一方の側面図である。
【図３】本発明の地上設置形変圧器装置の内部を示す上面図である。
【図４】本発明の地上設置形変圧器装置の後背部を示す斜視図である。
【図５】本発明の地上設置形変圧器装置の高圧機器を収容する区画室に設置した放圧装置の取付状態を示す筐体の要部縦断正面図である。
【図６】図５のＸ−Ｘ線における断面図である。
【図７】本発明の地上設置形変圧器装置の高圧機器を収容する区画室に設置した放圧装置が作動した状態を示す要部横断平面図である。
【符号の説明】
【００３６】
１  地上設置形変圧器装置
２  筐体
２ａ，２ｂ  区画室
４  変圧器装置
５  低圧分岐装置
７  高圧機器
１１  放圧扉
１５  ばね部材
１６  長孔
１７  係止ピン
２１  ストッパー部材
２２  支持板
２３  レバー体
２４  係止板
２５  横孔
【図１】
2006129628.tif 000003
【図２】
2006129628.tif 000004
【図３】
2006129628.tif 000005
【図４】
2006129628.tif 000006
【図５】
2006129628.tif 000007
【図６】
2006129628.tif 000008
【図７】
2006129628.tif 000009